(57)【要約】【課題】  静電気により表示画面内の外周部に生じる表示異常を解消する。【解決手段】  信号電極群か走査電極群の最外周線の引き回し途中に抵抗を取り付けることにより、表示画面を構成する最外周の電極に加わる駆動波形の実効値を変化できるように構成した。これにより、液晶表示装置の透過率の大きさを最外周だけ調節することができ、均一な表示が実現できる。【選択図】  図２
2007226002.tif 000002
【特許請求の範囲】
【請求項１】
ｍ本の信号電極群が形成された基板とｎ本の走査電極群が形成された対向基板を、液晶を介して前記信号電極群と前記走査電極群が対向するように貼り合わせ、前記信号電極群と前記走査電極群が交差して表示画面を形成した液晶表示装置であって、前記走査電極群の第１番目と第ｎ番目の走査電極の抵抗値が、第２番目から第ｎ−１番目の走査電極の抵抗値より高く、前記信号電極群の第１番目と第ｍ番目の信号電極の抵抗値が、第２番目から第ｍ−１番目の信号電極の抵抗値より高いことを特徴とする液晶表示装置。
【請求項２】
第１番目と第ｍ番目の信号電極、第１番目と第ｎ番目の走査電極のうち、少なくとも一方に抵抗が接続されたことを特徴とする請求項１に記載の液晶表示装置。
【請求項３】
ｍ本の信号電極群が形成された基板とｎ本の走査電極群が形成された対向基板を、前記信号電極群と前記走査電極群が交差して表示画面を形成するように、液晶を介して貼り合わされた液晶表示素子と、前記液晶表示素子を駆動するドライバーを備える液晶表示装置であって、前記表示画面の最外周を構成する両端の信号電極と走査電極の少なくとも一方の電極と、前記ドライバーの出力端子の間に抵抗が接続されたことを特徴とする液晶表示装置。
【請求項４】
前記抵抗は抵抗値が可変できることを特徴とする請求項２または３に記載の液晶表示装置。
【発明の詳細な説明】
【技術分野】
【０００１】
本発明は、液晶表示装置に関する。
【背景技術】
【０００２】
信号線電極を備えた基板と走査電極を備えた対向基板を貼りあわせる従来の液晶表示装置では、走査電極は基板に形成された走査電極引き回し配線とシール部で電気的に接続され、駆動用のドライバーＩＣへ接続されている（例えば、特許文献１参照）。
【特許文献１】特開２００２−２０８３２号公報（第１図）
【発明の開示】
【発明が解決しようとする課題】
【０００３】
特許文献１に記載の構成では、液晶表示装置を作製する工程で、外部からの静電気により、信号線か走査線基板の最外周線に表示異常が発生することがある。液晶表示装置に静電気が印加されると、信号線か走査線基板の最外周線に静電気による高電圧が印加され、液晶分子と基板表面との接触角（プレティルト角）が大きくなり、その結果同じ実効電圧が印加されても透過率が大きくなる。図３はこれを説明する特性図であり、実効電圧と透過率の関係を示している。図中、特性曲線１５は通常の実効電圧と透過率の関係を示し、特性曲線１６は静電気の影響を受けた場合の特性が変化した様子を示す特性曲線である。実効電圧Ｖ１が液晶表示装置に印加されると、表示部分中央では透過率Ｔ１になるのに対し、静電気の影響を受けた最外周線では透過率Ｔ２になる。この透過率の差がコントラストムラ、表示ライン欠陥として視認され、表示品位を低下させ、製品の良品率を低下させる原因となっていた。
【課題を解決するための手段】
【０００４】
本発明は、信号線か走査線基板の最外周線が駆動用のドライバーＩＣへ引き回される途中の表示部分の外側に抵抗を取り付け、駆動波形の実効値を変化させることにした。
【０００５】
すなわち、本発明は、ｍ本の信号電極群が形成された基板とｎ本の走査電極群が形成された対向基板を、液晶を介して信号電極群と走査電極群が対向するように貼り合わせ、信号電極群と走査電極群が交差して表示画面を形成した液晶表示装置に関し、走査電極群の第１番目と第ｎ番目の走査電極の抵抗値が、第２番目から第ｎ−１番目の走査電極の抵抗値より高く、信号電極群の第１番目と第ｍ番目の信号電極の抵抗値が、第２番目から第ｍ−１番目の信号電極の抵抗値より高くなるように構成した。
【０００６】
また、本発明は、ｍ本の信号電極群が形成された基板とｎ本の走査電極群が形成された対向基板を、信号電極群と走査電極群が交差して表示画面を形成するように、液晶を介して貼り合わされた液晶表示素子と、液晶表示素子を駆動するドライバーを備える液晶表示装置に関し、表示画面の最外周を構成する両端の信号電極と走査電極の少なくとも一方の電極と、ドライバーの出力端子の間に抵抗が接続されている。
【０００７】
さらに、抵抗は抵抗値が可変できることとした。
【発明の効果】
【０００８】
本発明は、信号電極線か走査電極線の最外周線の引き回し途中に抵抗を取り付けることにより、表示画面を構成する最外周の電極に加わる駆動波形の実効値を変化させることが可能になるため、液晶表示装置の透過率の大きさを調節し、静電気による表示異常をなくすという効果がある。
【発明を実施するための最良の形態】
【０００９】
本発明の液晶表示装置の構成を図１に模式的に示す。図示するように、基板１には信号電極群３と走査電極引き回し配線群１０が形成される。信号電極群は１本目の信号電極５ａからｍ本目の信号電極５ｂからなる。対向基板２には走査電極群６が形成され、１本目の走査電極８ａからｎ本目の走査電極８ｂで構成されている。基板１と対向基板２を、シール部材により囲まれた液晶を介して信号電極群３と走査電極群６とが対向するように貼り合わせ、表示装置を構成する。そして、走査電極群の第１ラインおよび最終ライン（ｎライン）の抵抗値が走査電極群の第２ラインからｎ−１ラインの抵抗値より高く形成されている。あるいは、信号電極群の第１ラインおよび最終ライン（ｍライン）の抵抗値が、信号電極群の第２ラインからｍ−１ラインの抵抗値より高く形成されている。このような構成によれば、最外周線に発生する表示異常をなくすことが可能である。もちろん、信号電極群の両端の信号電極、走査電極群の両端の走査電極の両方の配線経路に抵抗を設けてもよい。
【００１０】
図２に信号線５ａ、５ｂ上で、かつ表示部分９からドライバーＩＣ１１までの間に抵抗１２ａ、１２ｂを設けた例を示す。同様にして走査線８ａ、８ｂと接続された走査線引き回し電極群１０中で、表示部分９からドライバーＩＣ１１までの間に抵抗を設置することもできる。このとき、その抵抗値は１００オームから２０キロオームで効果が得られた。
【００１１】
図２の抵抗１２ａ、１２ｂを抵抗値が可変できる抵抗体とし、液晶表示装置の最外周線の表示異常を見ながら抵抗を変化させた。抵抗は１００オームから２０キロオームの間で変化させ効果が得られた。
【００１２】
このような構成によれば、表示部分最外周線に発生する静電気による表示異常を、駆動波形の実効値を変化させることにより、液晶表示装置の透過率の大きさを調節し、静電気による表示異常をなくし、均一な表示が可能となる。
【産業上の利用可能性】
【００１３】
表示品位を向上させ、製品の良品率を上昇させる方法として適応できる。
【図面の簡単な説明】
【００１４】
【図１】本実施例の液晶表示装置の基板構成を模式的に示す平面図である。
【図２】本実施例の液晶表示装置の構成を模式的に示す平面図である。
【図３】実効電圧値と透過率の関係を示す図表である。
【符号の説明】
【００１５】
１  基板
２  対向基板
３  信号電極群
４  信号線
５ａ  １本目の信号線
５ｂ  ｍ本目の信号線
６  走査電極群
７  走査線
８ａ  １本目の走査線
８ｂ  ｎ本目の走査線
９  表示部分
１０  走査電極引き回し配線群
１１  ドライバーＩＣ
１２ａ、１２ｂ  抵抗
【図１】
2007226002.tif 000003
【図２】
2007226002.tif 000004
【図３】
2007226002.tif 000005